(57)【要約】      （修正有） 【課題】        現状のインターネット上のマーケットリサーチは、特定企業や業種に依存した偏ったデータしか集計できない。【解決手段】    本インターネットマーケットリサーチシステムの集計センター２０を開設し、履歴情報作成プログラム１１を配布し、この履歴情報作成プログラム１１から送信されてくる、履歴情報作成プログラムの更新情報およびそのデータ１４を収集、および集計、解析を行い各種データベースサーバ２２にデータベース化することにより、特定の企業や業種に依存しないマーケットリサーチを行うことができる。そしてさらに、この各種データベースサーバ２２のデータは、特定企業や業種に依存しないマーケットリサーチデータ２４として販売することができる。【選択図】      図１
2006209723.tif 000002
【特許請求の範囲】
【請求項１】
アテネシステムはインターネット端末から自動的に履歴を収集し、これらを集計＆販売するインターネットマーケットリサーチ方法である。次にこの実施形態を記述する。
▲１▼アテネシステムのサービス実施者はインターネットマーケットリサーチデータを集計管理する各種サーバを設置したセンターを開設する。以降このセンターをアテネセンターと呼ぶ。
アテネシステムの運営者がＰＣなどのインターネット端末製造、販売業者やアテネシステム運営センターを通し、ユーザ（一般消費者）やインターネット端末製造業者にインターネット端末管理をするツールを配布する。以降このインターネット端末管理ツールをマイエージェントと呼ぶ。なおアテネセンターでは各端末のマイエージェントのアップグレードサービスも行う。
▲２▼マイエージェントはＰＣまたは携帯電話、ＰＤＡなどのインターネット端末で動作する。
マイエージェントは個人情報の保護やセキュリティを保障しユーザに合意の上で使用してもらう。
▲３▼マイエージェントはユーザが許可する公開情報をアプリやインターネット接続したＷｅｂサイトサーバに自動的に渡し、アプリや接続したサイトはこれに関連するもののアクションを優先して行うようにする。これによりユーザの入力、検索処理を大幅に軽減する効果がある。
▲４▼ユーザは通常通りインターネット端末を使用できる。（マイエージェントがあることによる機能上の制約は何も発生しない）この間にマイエージェントが接続したサイトやアプリのフィードバック情報や売買情報などの履歴を自分のインターネット端末内に作成し自動的にデータベースとして記録保存する。このデータは暗号化しマイエージェント以外からは参照できない。
▲５▼マイエージェントは▲４▼で作成したデータベース情報が更新され次第、アテネセンターのサーバに更新情報を送信する。送信する情報は全て暗号化の上送信する。
アテネセンターでこれを複合化しリアルタイムでアテネセンターのデータベースサーバに再登録して集計管理する。
▲６▼アテネセンターで集計されたデータを取引者の要望に応じ編集しインターネット経由で販売する。データを記録したメディア（ＣＤ−ＲＯＭなど）形式での販売も行う。
〔上記の▲１▼〜▲６▼は添付資料：図１システム全体図の▲１▼〜▲６▼に対応〕
【請求項２】
マイエージェントのもうひとつの重要な効果ついて次に記述する。
現状のＷｅｂショッピングでは運営するサイト毎に商品情報の入力、検索、自分の住所、送り先など入力しなおさなくてはならない。また個人情報が他のサイトに移行できない。セキュリティ上当然だがこれはとても煩わしい。ソフトのユーザ登録もしかりである。
【請求項１】
のインターネットマーケット情報の収集機能だけではなく、これらの問題を解決する方法をマイエージェントで同時に提供しセキュリティを確保しながらユーザに操作性の向上という利益を還元する。
ａ）このツールはパソコン、ＰＤＡ、携帯電話、ＴＶ、ＤＶＤビデオ、などのインターネット端末で動作する。
ｂ）このツールにあらかじめ個人情報を登録する。この情報は自由に編集、組み合わせ、組み換え、公開の可否が設定可能。これらの情報をこのアプリを通してブラウザや他のアプリが相互参照できるようにインターフェースを公開する。
ｃ）ＡＴＯＫやＩＭＥ（入力方式エディタ）のような入力管理エンジンをバックグラウンドで走らせ、ｂ）で公開したインターフェースに未対応なブラウザや他のアプリでも入力結果のトレースが可能なものとする。
ｄ）登録する情報は、住所、氏名、年齢、電話番号などの個人情報と、ワン・トウ・ワン・マーケティング情報として商品売買に必要な条件、情報（個人の味の好み、銘柄、関心のある時事、事象、地域、など）を言葉や単語、キーワード、とこれらのユーサー設定レベル（どれだけ関心があるかを★１０までで表現）などを登録する
ｅ）このツールからの各種アプリの起動が可能。
ｆ）サイト側や他のアプリ側で設定した新しい条件、情報（売買記録など）のフィードバックも可能（学習機能を持たせる）。
ｇ）情報は暗号化して保存しマイエージェント以外からは参照できないようにする。
ｈ）これらの情報はおのおの公開の可否などの条件の設定が可能。
ｉ）セキュリティレベルの設定、参照方法などの設定も可能。Ｅｘ）必要な情報のみ暗号化して渡しクライアント側で複合化など。
ｊ）ログイン方法の設定可能、バイオマトリクス承認などにも対応する。
ｋ）ｄ）で登録した情報の使用頻度およびサイトの閲覧履歴を自動的にデータベースにして保持する。
ｌ）オプションとして接続先サイトの表示レイアウトをユーザが指定（カスタマイズ）できる機能を持たせる。これにより表示先のサイトのレイアウトが常にユーザの好みのレイアウトで表示され、余計な広告の遮断やサイト毎に表示が異なりわかりづらい状況から開放される。
ｍ）ＯＳの一部の機能として組み込むことも可能とする。
ｎ）効果
・アプリケーション毎、Ｗｅｂサイト毎に住所、配送先などの個人情報を入力しなおす必要がなくなる
・あらかじめ個人の商品検索情報を自動的に渡せるようにすることにより、余計な入力をしなくてもＷｅｂサイト、アプリに接続しただけで自分の好みの商品が表示されるようになる。
・学習機能により使い込むほどに便利になる。
【発明の詳細な説明】
１．発明の名称
アテネシステム
２．発明の分野
インターネット上でのマーケッティングリサーチ
３．発明の効果
・後述のインターネット端末管理ツールの集計結果から、特定の企業、業種や商品に依存せず、各地域、各世代別の人が購入した商品、購入時期などの非常に詳細な（個人レベルの）消費動向を把握できる。
・後述のインターネット端末管理ツールの集計結果から、サイトの閲覧情報の集計から正確でリアルタイムな消費者の嗜好予測が可能。
４．効果をもたらした工夫
本発明では特定のサイトやショップに依存せず、正確で、かつリアルタイムに消費動向の把握や指向動向が把握できるようになる。
５．従来の技術
現状のインターネットのマーケッティングデータは、セキュリティの関係上、特定のサイトやショップに依存した情報しか得ることができない。
６．発明の実施形態
添付資料：図１にシステム全体図を示す。この説明を請求項１に記述する。
７．詳細書作成上の工夫、構成するにあたっての注意点
本件は、個人が承認した情報を公開するための方法とその情報を集計するシステムで構成されている。この中で、個人情報を保護しつつ個人が承認した公開情報を共有するという概念がいままで存在せず、かつ先進性があるため、この概念とこれについての効果も発明として
【請求項２】
マイエージェントとして記述した。
【図１】
2006209723.tif 000003
【手続補正書】
【提出日】平成17年7月28日(2005.7.28)
【手続補正１】
【補正対象書類名】明細書
【補正対象項目名】全文
【補正方法】変更
【補正の内容】
【発明の詳細な説明】
【技術分野】
【０００１】
本発明は、特定のサイトやショップに依存しない、インターネットマーケットリサーチシステムである。
【背景技術】
【０００２】
各Ｗｅｂサイトが発信しているニュースなどで、そのＷｅｂサイトが表示している記事のクリック数を独自に集計し、そのＷｅｂサイトの独自のランキング形式としてデータを表示する方法が存在する。
【発明の開示】
【発明が解決しようとする課題】
【０００３】
現状のインターネットのマーケッティングデータは、セキュリティの関係上、特定のサイトやショップに依存した情報しか得ることができない。
【課題を解決するための手段】
【０００４】
課題を解決するための手段を、図１をもとに説明する。
【０００５】
履歴情報作成プログラムの更新情報およびそのデータ１４を集計、および分析し、データベース化し、それらのデータを管理する各種サーバを設置した集計センター２０を開設する。
【０００６】
集計センター２０は、インターネット端末１０上で動作し、この入力手段で入力された情報の履歴を作成する、履歴情報作成プログラム１１を用意する。
【０００７】
集計センター２０は、ユーザ（一般消費者）やインターネット端末１０の製造業者に、履歴情報作成プログラム１１を配布する。
【０００８】
履歴情報作成プログラム１１は、インターネット端末１０の入力手段で入力された情報の履歴を、この中の記憶手段に履歴情報作成プログラムの各種データ１２として記録保存する。
【０００９】
履歴情報作成プログラム１１は、インターネット端末１０の使用者が設定する特定の履歴情報作成プログラムの各種データ１２を、一般のアプリケーションプログラムまたはＷｅｂアプリケーションプログラム１６から、読み込み、書き込み、上書き、追記、消去、するため参照実行手順とデータ構造１５を公開する。
【００１０】
履歴情報作成プログラム１１は、このプログラムが管理する履歴情報作成プログラムの各種データ１２が更新され、かつ、前回集計センター２０に送信した履歴情報作成プログラムの更新情報およびそのデータ１４と差分が発生した場合、そのつど履歴情報作成プログラムの更新情報およびそのデータ１４を送信手段１３からインターネット経由で集計センター２０に送信する。
【００１１】
集計センター２０は、受信手段２１で受信した履歴情報作成プログラムの更新情報およびそのデータ１４を、保存、集計、解析、分類し、各種データベースサーバ２２に記録保存しなおす。
【００１２】
集計センター２０は、各種データベースサーバ２２から契約者に必要な目的のマーケットリサーチデータ２４を作成し、これを販売する。
【発明の効果】
【００１３】
本インターネットマーケットリサーチシステムでは、履歴情報作成プログラム１１が、履歴情報作成プログラムの各種データ１２が更新され次第、履歴情報作成プログラムの更新情報およびそのデータ１４を集計センター２０に送信し、集計センター２０で各種データベースサーバ２２のデータが作成しなおされるため、正確でリアルタイムなサンプルデータの収集が可能になり、より正確な消費者の嗜好予測が可能になる。
【００１４】
本インターネットマーケットリサーチシステムでは、履歴情報作成プログラム１１が、特定の一般のアプリケーションプログラムや特定のＷｅｂアプリケーションプログラムに依存せず動作し、履歴情報作成プログラムの各種データ１２を作成してから履歴情報作成プログラムの更新情報およびそのデータ１４を集計センター２０に送信する。これをもとに集計センター２０が各種データベースサーバ２２のデータを作成するため、本インターネットマーケットリサーチシステムのデータは、特定の企業や、特定のサイト、ショップ、一般のアプリケーションプログラムなどに依存したものとはならない。
したがって、本インターネットマーケットリサーチシステムのマーケットリサーチデータ２４を用いることにより、より正確なCRM(カスタマリレーションシップマネジメント）が可能になる。
【発明を実施するための最良の形態】
【００１５】
請求項１のインターネットマーケットリサーチシステムの発明を実施するための最良の形態を、図１をもとに説明する。
【実施例１】
【００１６】
集計センター２０は履歴情報作成プログラム１１を、インターネットマーケットリサーチシステムで規定する使用条件により有料の提供を行う。
【実施例２】
【００１７】
集計センター２０は履歴情報作成プログラム１１を、インターネットマーケットリサーチシステムで規定する使用条件により無料の提供を行う。
【実施例３】
【００１８】
集計センター２０は履歴情報作成プログラム１１を、機能追加した場合、またはバグ修正した場合、これをインターネットマーケットリサーチシステムで規定する使用条件により有料の提供を行う。
【実施例４】
【００１９】
集計センター２０は履歴情報作成プログラム１１を、機能追加した場合、またはバグ修正した場合、これをインターネットマーケットリサーチシステムで規定する使用条件により無料の提供を行う。
【実施例５】
【００２０】
集計センター２０は履歴情報作成プログラム１１を、ユーザ（一般消費者）やインターネット端末１０の製造業者に提供を行う。
【実施例６】
【００２１】
集計センター２０は履歴情報作成プログラム１１を、インターネット経由で提供を行う。
【実施例７】
【００２２】
集計センター２０は履歴情報作成プログラム１１を、インターネット端末１０で読み出し可能な記録媒体で提供を行う。
【実施例８】
【００２３】
インターネット端末１０とは、無線または有線にてインターネットに接続可能なパソコン、携帯電話、ビデオ、カーナビ、またはこの他の電気製品全般のことである。
【実施例９】
【００２４】
履歴情報作成プログラムの更新情報およびそのデータ１４は、履歴情報作成プログラム１１の送信手段１３から暗号化して送信され、集計センター２０の受信手段２１で複合化して受信することによりセキュリティを確保する。
【実施例１０】
【００２５】
集計センター２０は、受信手段２１で受信した履歴情報作成プログラムの更新情報およびそのデータ１４を、何も分類せずそのままのデータをサーバに保存する。
【実施例１１】
【００２６】
集計センター２０は、受信手段２１で受信した履歴情報作成プログラムの更新情報およびそのデータ１４を、集計、解析、分類し各種データベースサーバ２２に保存する。
【実施例１２】
【００２７】
集計センター２０は、各種データベースサーバ２２から契約者に必要な目的のマーケットリサーチデータ２４を作成する。
【実施例１３】
【００２８】
集計センター２０は、マーケットリサーチデータ２４を、インターネット経由で販売提供する。
【実施例１４】
【００２９】
集計センター２０は、マーケットリサーチデータ２４を、このデータを記録した記録媒体で販売提供する。
【実施例１５】
【００３０】
履歴情報作成プログラム１１は、履歴情報作成プログラムの各種データ１２が更新され、前回送信した履歴情報作成プログラムの更新情報およびそのデータ１４との差分が発生した場合で、かつ、送信手段１３から集計センター２０に送信可能な場合、この差分の履歴情報作成プログラムの更新情報およびそのデータ１４を集計センター２０に送信する。
【実施例１６】
【００３１】
履歴情報作成プログラム１１は、履歴情報作成プログラムの各種データ１２を、履歴情報作成プログラム１１が暗号化して保存し、履歴情報作成プログラム１１からしか参照できないようにすることによりセキュリティを確保する。
【実施例１７】
【００３２】
履歴情報作成プログラム１１は、使用者が履歴情報作成プログラム１１から設定する特定の履歴情報作成プログラムの各種データ１２を、他の一般のアプリケーションプログラムやＷｅｂアプリケーションプログラム１６から、読み込み、書き込み、上書き、追記、消去、および、プロセス、またはタスクを実行するために、参照実行手順とデータ構造１５を公開することが可能である。
【実施例１８】
【００３３】
履歴情報作成プログラム１１は、インターネット端末１０の入力手段からの入力が発生するたびに、その入力結果の情報である、履歴情報作成プログラムの各種データ１２を作成し、データベース化する。
【実施例１９】
【００３４】
インターネット端末１０の入力手段とはキーボード、ノートパット、マウス、タッチパネルなどの、インターネット端末１０が提供する入力用ユーサーインターフェースのことをいう。
【実施例２０】
【００３５】
履歴情報作成プログラム１１は、参照実行手順とデータ構造１５が使用され履歴情報作成プログラムの各種データ１２が変更された場合、この変更分を履歴情報作成プログラムの各種データ１２として作成しなおす。
【実施例２１】
【００３６】
履歴情報作成プログラム１１は、ATOKやIME（入力方式エディタ）と同様の方法によりインターネット端末１０のＯＳに常駐し動作することが可能である実行形式も提供する。
【実施例２２】
【００３７】
履歴情報作成プログラム１１は、単一のアプリケーションプログラムとして動作することが可能である実行形式も提供する。
【実施例２３】
【００３８】
履歴情報作成プログラム１１が、ＯＳの一部として動作することが可能である実行形式も提供する。
【実施例２４】
【００３９】
履歴情報作成プログラム１１が、ファームウエアの組み込みプログラムとして組み込み可能な形態として、履歴情報作成プログラム１１のソースコード、またはライブラリ関数を提供する。
【実施例２５】
【００４０】
履歴情報作成プログラム１１は、使用者識別のため、ユーサー名の入力項目、パスワードの入力項目を含むユーザーインターフェースを用意し、これにより使用者識別をすることが可能である。
【実施例２６】
【００４１】
履歴情報作成プログラム１１は、使用者識別のための方法として、バイオマトリクス承認による判定方法を用意し、これにより使用者識別をすることが可能である。
【実施例２７】
【００４２】
履歴情報作成プログラム１１は、使用者の個人情報を履歴情報作成プログラムの各種データ１２として登録できることが可能である。
【実施例２８】
【００４３】
参照実行手順とデータ構造１５により公開できる履歴情報作成プログラムの各種データ１２は、履歴情報作成プログラム１１の使用者により公開の可否の設定が可能である。
【実施例２９】
【００４４】
履歴情報作成プログラム１１の使用者の個人情報として、住所、氏名、年齢、電話番号、ワン・トウ・ワン・マーケティング情報として商品売買に必要な条件である個人の味の好み、銘柄、関心のある時事、事象、地域、などを言葉や単語、キーワード、およびこれらの関心レベル（どれだけ関心があるかを数値、または星マークを１０個までで表現）のいずれか１つ、または２つ以上の組み合わせで登録できることが可能である。
【実施例３０】
【００４５】
履歴情報作成プログラム１１から、各種一般のアプリケーションプログラムの起動することが可能である。
【実施例３１】
【００４６】
履歴情報作成プログラム１１はこのプログラムの使用者により、参照実行手順とデータ構造１５、または、履歴情報作成プログラムの各種データ１２、それぞれに対して、アクセスの方法や範囲の制限などのセキュリティレベルの設定が可能である。
【図面の簡単な説明】
【００４７】
【図１】インターネットマーケットリサーチシステムの説明図である。
【符号の説明】
【００４８】
１０  インターネット端末
１１  履歴情報作成プログラム
１２  履歴情報作成プログラムの各種データ
１３  送信手段
１４  履歴情報作成プログラムの更新情報およびそのデータ
１５  参照実行手順とデータ構造
１６  一般のアプリケーションプログラムまたはＷｅｂアプリケーションプログラム
２０  集計センター
２１  受信手段
２２  各種データベースサーバ
２３  送信手段
２４  マーケットリサーチデータ
２５  契約者のサーバ、またはインターネット端末
【手続補正２】
【補正対象書類名】特許請求の範囲
【補正対象項目名】全文
【補正方法】変更
【補正の内容】
【特許請求の範囲】
【請求項１】
インターネット端末の入力履歴情報を、一般のアプリケーションプログラムまたはＷｅｂアプリケーションプログラムに依存せず自動的に集計することにより、特定の企業や業種に依存しないマーケットリサーチを行うことができることを特徴とするインターネットマーケットリサーチシステム。
【手続補正３】
【補正対象書類名】図面
【補正対象項目名】全図
【補正方法】変更
【補正の内容】
【図１】
2006209723.tif 000004